(57)【要約】【課題】適度な開瞼力を有しつつ、術者に与えるストレスを軽減し、上下瞼を開くという必要な機能を十分に果たすことができる開瞼器およびその製造方法を提供する。【解決手段】バネ性を持つよう射出成形により湾曲形状に形成された熱可塑性樹脂からなる１本のアームと、前記アームの両端にそれぞれ結合されて上瞼と下瞼にそれぞれ引っ掛ける２つの瞼押え部とを有し、前記アームのバネ反発力によって開瞼状態を保つようにした開瞼器であって、前記瞼押え部同士を接近させる方向に荷重を加える際に発生する引張応力が最大となる部分以外の部分に、前記アームの樹脂注入部が設けられたものである。【選択図】図８Ａ
2010227457.tif 000002
【特許請求の範囲】
【請求項１】
バネ性を持つよう射出成形により湾曲形状に形成された熱可塑性樹脂からなる１本のアームと、前記アームの両端にそれぞれ結合されて上瞼と下瞼にそれぞれ引っ掛ける２つの瞼押え部とを有し、前記アームのバネ反発力によって開瞼状態を保つようにした開瞼器であって、
前記アームに対し、前記瞼押え部同士を接近させる方向に曲げ荷重を加えたとき、前記アームの中立面を境界とし、前記湾曲形状の湾曲外側であって引張応力が発生する側をアーム外側とし、湾曲形状の湾曲内側であって圧縮応力が発生する側をアーム内側としたとき、
前記瞼押え部同士を接近させる方向に荷重を加える際に発生する引張応力が最大となる部分以外の部分に、前記アームの樹脂注入部が設けられたものであることを特徴とする開瞼器。
但し、前記中立面とは、前記アームに曲げモーメントが働いたときに、前記アームの長手方向に垂直な面を切断面とする断面において前記曲げモーメントによって引張応力が働く領域と圧縮応力が働く領域とが生ずるが、これら引張応力が働く領域と圧縮応力が働く領域との境界面であって引張応力も圧縮応力も働かない面をいう。
【請求項２】
前記アーム外側において中立面から最も離れた部分であるアーム最外側以外の部分に、前記アームの射出成形の際の樹脂注入部が設けられたものであることを特徴とする請求項１に記載の開瞼器。
【請求項３】
前記アーム内側に、前記アームの射出成形の際の樹脂注入部が設けられたものであることを特徴とする請求項２に記載の開瞼器。
【請求項４】
前記アーム内側において前記中立面から最も離れた部分であるアーム最内側に、前記アームの射出成形の際の樹脂注入部が設けられたものであることを特徴とする請求項３に記載の開瞼器。
【請求項５】
前記アームはＵ字状に湾曲形成されていることを特徴とする請求項１ないし４のいずれかに記載の開瞼器。
【請求項６】
前記アームの長手方向に対して垂直な面で切断した断面であるアーム断面の形状が略円形状であることを特徴とする請求項５に記載の開瞼器。
【請求項７】
前記アーム断面において、略円形状中心から前記アーム最外側に向かう方向をｘ軸、略円形状中心を通過しｘ軸に対する垂直方向をｙ軸とし、このｘ−ｙ座標系において前記アームに対する接線をｙ＝ａｘ＋ｂ（但し、ａ，ｂは定数）の関数で表したとき、前記アーム外側において前記アームに対する接線の傾きａの絶対値が１を超えていない部分、または前記アーム内側に、前記樹脂注入部が設けられることを特徴とする請求項６に記載の開瞼器。
【請求項８】
前記アームは線対称形状に湾曲形成され、
前記アームの対称中心部におけるアーム最内側に、前記樹脂注入部が設けられることを特徴とする請求項６に記載の開瞼器。
但し、前記アーム最内側とは、前記アーム内側において前記中立面から最も離れた部分をいう。
【請求項９】
前記瞼押え部同士を接近させる方向に荷重を加えた際に発生する前記バネ反発力を調整する開瞼力調整部が、前記アーム内側に設けられたことを特徴とする請求項１ないし８の
いずれかに記載の開瞼器。
【請求項１０】
前記開瞼力調整部によって前記アームが架け渡されたことを特徴とする請求項９に記載の開瞼器。
【請求項１１】
前記開瞼力調整部は、前記アーム外側に発生する引張応力が最大となる部分から前記アーム内側に向かう方向に設けられる折れ抑制領域でもあることを特徴とする請求項９に記載の開瞼器。
【請求項１２】
前記アームの長手方向に対して垂直なアーム断面形状が略円形状であり、
前記アームの長手方向に対して垂直なアーム断面形状において、前記アーム外側に発生する引張応力が最大となる点を含む前記アーム断面形状のアーム最外側からアーム最内側までの距離を、前記アームにかけて最大とすることを特徴とする請求項１１に記載の開瞼器。
但し、前記アーム最外側とは、前記アーム外側において前記中立面から最も離れた部分をいい、前記アーム最内側とは、前記アーム内側において前記中立面から最も離れた部分をいう。
【請求項１３】
前記アームの長手方向に対して垂直なアーム断面形状が略円形状であり、
前記アームの長手方向に対して垂直なアーム断面形状において、前記アーム外側に発生する引張応力が最大となる点を含む前記アーム断面形状の断面積を、前記アームにかけて最大とすることを特徴とする請求項１１に記載の開瞼器。
【請求項１４】
前記アームはＵ字状かつ線対称形状に湾曲形成され、
対称中心部を中心として前記アームの長手方向に少なくとも４ｍｍの範囲の部分のアームにおける、前記アームの長手方向に対して垂直なアーム断面の断面積が、それ以外の部分の断面積よりも大きいことを特徴とする請求項１２に記載の開瞼器。
【請求項１５】
前記アームの長手方向に対して垂直なアーム断面の断面積において、アームの断面積が前記アーム両端部から徐々に大きく形成されることを特徴とする請求項１３に記載の開瞼器。
【請求項１６】
バネ性を持つよう射出成形により湾曲形状に形成された熱可塑性樹脂からなる１本のアームと、前記アームの両端にそれぞれ結合されて上瞼と下瞼にそれぞれ引っ掛ける２つの瞼押え部とを有し、前記アームのバネ反発力によって開瞼状態を保つようにした開瞼器であって、
少なくとも前記アームは射出成形法で成形するようにするとともに、前記射出成形は、前記瞼押え部同士を接近させる方向に荷重を加える際に発生する引張応力が最大となる部分以外の部分に、前記アームの樹脂注入部を設けて行うようにしたことを特徴とする開瞼器の製造方法。
【請求項１７】
前記射出成形は、前記アームの樹脂注入部をアーム内側に設けて行うようにしたことを特徴とする請求項１６に記載の開瞼器の製造方法。
但し、前記アーム内側とは、前記アームに対し、前記瞼押え部同士を接近させる方向に曲げ荷重を加えたとき、前記アームの中立面を境界とし、前記湾曲形状の湾曲内側であって圧縮応力が発生する側のことをいう。
また、前記中立面とは、前記アームに曲げモーメントが働いたときに、前記アームの長手方向に垂直な面を切断面とする断面において前記曲げモーメントによって引張力が働く領域と圧縮応力が働く領域とが生ずるが、これら引張力が働く領域と圧縮応力が働く領域との境界面であって引張力も圧縮応力も働かない面をいう。
【請求項１８】
前記射出成形は、
Ｕ字状かつ線対称形状に湾曲形成され、対称中心部を中心としてアームの長手方向に少なくとも４ｍｍの範囲の部分のアームにおける、前記アームの長手方向に対して垂直なアーム断面の断面積が、それ以外の部分の断面積よりも大きいアームを形成するようにし、
前記アームの対称中心部におけるアーム最内側に、前記樹脂注入部を設けて行うようにしたことを特徴とする請求項１６または１７に記載の開瞼器の製造方法。
但し、前記アーム最内側とは、前記アーム内側において前記中立面から最も離れた部分をいう。
【請求項１９】
前記アームと瞼押え部との全体を熱可塑性樹脂の射出成形法で一体に成形することを特徴とする請求項１６ないし１８のいずれかに記載の開瞼器の製造方法。
【発明の詳細な説明】
【技術分野】
【０００１】
本発明は、眼科手術の際、あるいは、眼内への薬剤投与の際などに、上下の瞼を開くために使用される開瞼器およびその製造方法に関する。
【背景技術】
【０００２】
白内障手術、網膜硝子体手術、緑内障手術などの内眼手術や翼状片切除などの外眼手術を行う場合、角結膜およびその周囲を消毒、ドレープを掛けた後、開瞼器を使って開瞼した状態で処置を行う。また近年、先進諸国では、中途失明原因のトップである加齢黄斑変性症の治療法として血管新生阻害剤の硝子体内局所投与が有効とされ、これら薬剤の認可に伴い硝子体注射が爆発的に増えている。この血管新生阻害剤の硝子体注射は毎月〜隔月の頻度で実施されるが、この際にも、その都度、開瞼器を用いて開瞼し、点眼麻酔が効いた後に注射処置を行う。このように、最近では開瞼器の使用が非常に増えている。
【０００３】
従来の開瞼器は金属製のものが主流であり、その例として、図１４に示すようなものが知られている（特許文献１参照）。
【０００４】
図１４に示す開瞼器６０は、バネ性を持つ金属線材をＵ字状に湾曲させて形成したアーム６４の両端に、上瞼と下瞼にそれぞれ引っ掛ける２つの湾曲プレートよりなる瞼押え部６２をろう付け等により接合したもので、アーム６４のバネ反発力によって開瞼状態を保つものである。
【０００５】
各瞼押え部６２は、瞼の内側に差し込まれる内側挿入片６２ａと瞼の外側を押える外側押え片６２ｂとを持つ断面Ｕ字状に形成されており、患者自身の閉瞼力に負けないよう、アーム６４には高い曲げ弾性率を有する線材が使用されている。
【０００６】
これらの開瞼器は、アーム６４の両端に設けた瞼押え部６２を眼の上瞼と下瞼に引っ掛けることにより、アーム６４のバネ反発力によって上瞼と下瞼を開くことができる。
【０００７】
しかしながら、上述したように、最近では開瞼器が使われる場面が非常に増えてきたにもかかわらず、金属製の開瞼器だとコストが嵩むため使い捨てにすることができず、滅菌処理して何回も使わざるを得なかった。
また、金属製の開瞼器の場合、アームの曲げ弾性率がどうしても大きくなりやすい上に、瞼に直接当たる部分が硬い材質であった。そのため、大きく開瞼できない患者の場合、バネ力が強過ぎるために痛みを覚えやすく、また、硝子体圧上昇などのトラブルを誘発することもあった。
【０００８】
そこで、本発明者は、使い捨てを可能として滅菌の面倒を無くす一方、ばね作用を発揮するアームを持つタイプでありながら、しなやかな弾力性と柔らかな接触感を発揮する開瞼器を発明するに至った（特許文献２参照）。
【先行技術文献】
【特許文献】
【０００９】
【特許文献１】実用新案登録第３１０２５７３号公報
【特許文献２】特願２００８−２９３１７９号
【発明の概要】
【発明が解決しようとする課題】
【００１０】
ところで、樹脂からなる構造物においては一般には以下のような考慮事項がある。
【００１１】
一つは、樹脂構造物の強度についてである。
通常、樹脂成形方法には、ブロック状の樹脂材から構造物を削り出す方法、樹脂製型もしくは金型中で重合硬化する方法、または熱可塑性樹脂を用いた射出成形による方法がある。
【００１２】
この中の熱可塑性樹脂を用いた射出成形法は、均一な製品を大量に製造するためには特に適した方法である。具体的には、この射出成形法では、射出成形機に取り付けた成形用金型内に高温で流動性をもった樹脂を注入して冷却する。次に、金型内からゲート部（以降、樹脂注入部ともいう）、ランナー及びスプールが付いた状態の成形品である樹脂構造物を取り出す。そして、前記ゲート部が切断除去される。
【００１３】
通常、型中への樹脂の入り口であるゲート部は、成形品を成形する上で作業の邪魔にならない位置であって、樹脂が成形品全体に均等に充填されやすい位置に設計される。図１５に示すように、線対称なＵ字型湾曲形状のアーム６４を有する開瞼器６０に例えると、前記ゲート部６５はＵ字型湾曲形状の湾曲外側、特に線対称部分における湾曲外側に設計される。
【００１４】
術者が前記開瞼器６０を患者の目に装着する際、前記開瞼器６０を指で強くつまんで上下瞼押え部６２同士を接近させる方向に荷重を加えると、一旦、瞼押え部６２間の距離が狭められ、Ｕ字型湾曲形状の湾曲内側には圧縮応力が働き、湾曲外側には引張応力が働く。この引張応力を過度に加えるとアームが破損するおそれがある。さらには、術者が開瞼器６０を指でつまむ際、アームが破損しないか気にすることにより、術者に過度のストレスを与えるおそれがある。
【００１５】
もう一つの考慮事項は、樹脂構造物の機能についてである。
開瞼器に例えると、閉瞼力に負けない開瞼力を持つような反発弾性を持たせるために、アーム６４の太さを金属製に比べて太くする必要がある。開瞼器６０が金属製であれば直径１ｍｍ前後で達成できるのに対し、開瞼器に開瞼力を持たせようとしてアームの直径が直径３ｍｍを超えるようにすると、手術器具がぶつかるなど手術の妨げになると共に、術野への圧迫感の原因となり好ましくない。
【００１６】
本発明の目的は、適度な開瞼力を有しつつ、術者に与えるストレスを軽減し、上下瞼を開くという必要な機能を十分に果たすことができる開瞼器およびその製造方法を提供することにある。
【課題を解決するための手段】
【００１７】
本発明の第一の態様は、バネ性を持つよう射出成形により湾曲形状に形成された熱可塑性樹脂からなる１本のアームと、前記アームの両端にそれぞれ結合されて上瞼と下瞼にそれぞれ引っ掛ける２つの瞼押え部とを有し、前記アームのバネ反発力によって開瞼状態を保つようにした開瞼器であって、前記アームに対し、前記瞼押え部同士を接近させる方向に曲げ荷重を加えたとき、前記アームの中立面を境界とし、前記湾曲形状の湾曲外側であって引張応力が発生する側をアーム外側とし、湾曲形状の湾曲内側であって圧縮応力が発生する側をアーム内側としたとき、前記瞼押え部同士を接近させる方向に荷重を加える際に発生する引張応力が最大となる部分以外の部分に、前記アームの樹脂注入部が設けられたものであることを特徴とする。但し、前記中立面とは、前記アームに曲げモーメントが働いたときに、前記アームの長手方向に垂直な面を切断面とする断面において前記曲げモーメントによって引張応力が働く領域と圧縮応力が働く領域とが生ずるが、これら引張応力が働く領域と圧縮応力が働く領域との境界面であって引張応力も圧縮応力も働かない面
をいう。
【００１８】
本発明の第二の態様は、第一の態様に記載の発明において、前記アーム外側において中立面から最も離れた部分であるアーム最外側以外の部分に、前記アームの射出成形の際の樹脂注入部が設けられたものであることを特徴とする。
【００１９】
本発明の第三の態様は、第二の態様に記載の発明において、前記アーム内側に、前記アームの射出成形の際の樹脂注入部が設けられたものであることを特徴とする。
【００２０】
本発明の第四の態様は、第三の態様に記載の発明において、前記アーム内側において前記中立面から最も離れた部分であるアーム最内側に、前記アームの射出成形の際の樹脂注入部が設けられたものであることを特徴とする。
【００２１】
本発明の第五の態様は、第一ないし第四の態様のいずれかに記載の発明において、前記アームはＵ字状に湾曲形成されていることを特徴とする。
【００２２】
本発明の第六の態様は、第五の態様に記載の発明において、前記アームの長手方向に対して垂直な面で切断した断面であるアーム断面の形状が略円形状であることを特徴とする。
【００２３】
本発明の第七の態様は、第六の態様に記載の発明において、前記アーム断面において、略円形状中心から前記アーム最外側に向かう方向をｘ軸、略円形状中心を通過しｘ軸に対する垂直方向をｙ軸とし、このｘ−ｙ座標系において前記アームに対する接線をｙ＝ａｘ＋ｂ（但し、ａ，ｂは定数）の関数で表したとき、前記アーム外側において前記アームに対する接線の傾きａの絶対値が１を超えていない部分、または前記アーム内側に、前記樹脂注入部が設けられることを特徴とする。
【００２４】
本発明の第八の態様は、第六の態様に記載の発明において、前記アームは線対称形状に湾曲形成され、前記アームの対称中心部におけるアーム最内側に、前記樹脂注入部が設けられることを特徴とする。但し、前記アーム最内側とは、前記アーム内側において前記中立面から最も離れた部分をいう。
【００２５】
本発明の第九の態様は、第一ないし第八の態様のいずれかに記載の発明において、前記瞼押え部同士を接近させる方向に荷重を加えた際に発生する前記バネ反発力を調整する開瞼力調整部が、前記アーム内側に設けられたことを特徴とする。
【００２６】
本発明の第十の態様は、第九の態様に記載の発明において、前記開瞼力調整部によって前記アームが架け渡されたことを特徴とする。
【００２７】
本発明の第十一の態様は、第九の態様に記載の発明において、前記開瞼力調整部は、前記アーム外側に発生する引張応力が最大となる部分から前記アーム内側に向かう方向に設けられる折れ抑制領域でもあることを特徴とする。
【００２８】
本発明の第十二の態様は、第十一の態様に記載の発明において、前記アームの長手方向に対して垂直なアーム断面形状が略円形状であり、前記アームの長手方向に対して垂直なアーム断面形状において、前記アーム外側に発生する引張応力が最大となる点を含む前記アーム断面形状のアーム最外側からアーム最内側までの距離を、前記アームにかけて最大とすることを特徴とする。但し、前記アーム最外側とは、前記アーム外側において前記中立面から最も離れた部分をいい、前記アーム最内側とは、前記アーム内側において前記中立面から最も離れた部分をいう。
【００２９】
本発明の第十三の態様は、第十一の態様に記載の発明において、前記アームの長手方向に対して垂直なアーム断面形状が略円形状であり、前記アームの長手方向に対して垂直なアーム断面形状において、前記アーム外側に発生する引張応力が最大となる点を含む前記アーム断面形状の断面積を、前記アームにかけて最大とすることを特徴とする。
【００３０】
本発明の第十四の態様は、第十二の態様に記載の発明において、前記アームはＵ字状かつ線対称形状に湾曲形成され、対称中心部を中心として前記アームの長手方向に少なくとも４ｍｍの範囲の部分のアームにおける、前記アームの長手方向に対して垂直なアーム断面の断面積が、それ以外の部分の断面積よりも大きいことを特徴とする。
【００３１】
本発明の第十五の態様は、第十三の態様に記載の発明において、前記アームの長手方向に対して垂直なアーム断面の断面積において、アームの断面積が前記アーム両端部から徐々に大きく形成されることを特徴とする。
【００３２】
本発明の第十六の態様は、バネ性を持つよう射出成形により湾曲形状に形成された熱可塑性樹脂からなる１本のアームと、前記アームの両端にそれぞれ結合されて上瞼と下瞼にそれぞれ引っ掛ける２つの瞼押え部とを有し、前記アームのバネ反発力によって開瞼状態を保つようにした開瞼器であって、少なくとも前記アームは射出成形法で成形するようにするとともに、前記射出成形は、前記瞼押え部同士を接近させる方向に荷重を加える際に発生する引張応力が最大となる部分以外の部分に、前記アームの樹脂注入部を設けて行うようにしたことを特徴とする開瞼器の製造方法である。
【００３３】
本発明の第十七の態様は、第十六の態様に記載の発明において、前記射出成形は、前記アームの樹脂注入部をアーム内側に設けて行うようにしたことを特徴とする。但し、前記アーム内側とは、前記アームに対し、前記瞼押え部同士を接近させる方向に曲げ荷重を加えたとき、前記アームの中立面を境界とし、前記湾曲形状の湾曲内側であって圧縮応力が発生する側のことをいう。また、前記中立面とは、前記アームに曲げモーメントが働いたときに、前記アームの長手方向に垂直な面を切断面とする断面において前記曲げモーメントによって引張力が働く領域と圧縮応力が働く領域とが生ずるが、これら引張力が働く領域と圧縮応力が働く領域との境界面であって引張力も圧縮応力も働かない面をいう。
【００３４】
本発明の第十八の態様は、第十六または第十七の態様に記載の発明において、前記射出成形は、Ｕ字状かつ線対称形状に湾曲形成され、対称中心部を中心としてアームの長手方向に少なくとも４ｍｍの範囲の部分のアームにおける、前記アームの長手方向に対して垂直なアーム断面の断面積が、それ以外の部分の断面積よりも大きいアームを形成するようにし、前記アームの対称中心部におけるアーム最内側に、前記樹脂注入部を設けて行うようにしたことを特徴とする。但し、前記アーム最内側とは、前記アーム内側において前記中立面から最も離れた部分をいう。
【００３５】
本発明の第十九の態様は、第十六ないし第十八の態様のいずれかに記載の発明において、前記アームと瞼押え部との全体を熱可塑性樹脂の射出成形法で一体に成形することを特徴とする。
【発明の効果】
【００３６】
本発明によれば、適度な開瞼力を有しつつ、術者に与えるストレスを軽減し、上下瞼を開くという必要な機能を十分に果たす開瞼器およびその製造方法を提供することができる。
【図面の簡単な説明】
【００３７】
【図１】本発明の実施形態の開瞼器の構成を示し、（ａ）は斜視図、（ｂ）は平面図、（ｃ）は側面図、（ｄ）は正面図、（ｅ）は（ｄ）のＩｅ部の拡大図であり、（ｆ）はＡ−Ａ’のアーム断面図である。
【図２】同開瞼器の使用状態を示す図である。
【図３】本実施形態に係る開瞼器の一例を示す平面図である。
【図４】開瞼器の製造工程を説明する概略図であり、（ａ）は金型の平面図、（ｂ）は金型から樹脂成型物を抜き取ったときの平面図、（ｃ）は樹脂成型物のゲート部を切除した後の平面図である。
【図５】開瞼器の使用による折れの発生についての説明図であり、（ａ）は荷重と中立面を概略的に示した開瞼器の平面図、（ｂ）はアームに働く引張応力および圧縮応力を概略的に示すＢの部分の拡大平面図、（ｃ）はアームが折れたときの開瞼器の平面図である。
【図６】本実施形態に係る開瞼器の一例を示す断面図である。
【図７】本実施形態に係る開瞼器の製造工程を説明する概略図であり、（ａ）は金型の平面図、（ｂ）は金型から樹脂成型物を抜き取ったときの平面図、（ｃ）は樹脂成型物のゲート部を切除した後の平面図、（ｄ）は引張応力が働く際のＢの部分の拡大平面図である。
【図８Ａ】本実施形態を組み合わせた開瞼器の構成を示し、（ａ）は斜視図、（ｂ）は平面図、（ｃ）は側面図、（ｄ）は正面図、（ｅ）は（ｄ）のＩｅ部の拡大図である。
【図８Ｂ】本実施形態を組み合わせた開瞼器の構成を示し、（ｆ）は従来の開瞼器の製造工程において、樹脂成型物のゲート部を切除する様子を示す概略平面説明図、（ｇ）は本実施形態に係る開瞼器の製造工程において、樹脂成型物のゲート部を切除する様子を示す概略平面説明図である。
【図９】本実施形態に係る開瞼器の瞼押え部同士を接近させる方向に荷重を加えた際の瞼押え部の変位の様子を示す概略平面説明図であり、（ａ）はアームにおける変形しやすい領域が大きい場合の概略平面説明図、（ｂ）は変形しやすい領域が小さい場合の概略平面説明図である。
【図１０】本実施形態に係る開瞼力調整部の変形例を示す概略平面説明図である。
【図１１】本実施形態に係る開瞼力調整部の変形例を示す概略平面説明図である。
【図１２】本発明の別の実施形態の開瞼器の構成を示し、（ａ）は斜視図、（ｂ）は平面図、（ｃ）は側面図、（ｄ）は正面図、（ｅ）は（ｄ）のＩｅ部の拡大図である。
【図１３Ａ】本発明の別の実施形態の開瞼器の一例を示す平面図である。
【図１３Ｂ】本発明の別の実施形態の開瞼器の一例を示す図であり、（ｅ）はアームの断面図であり、（ｆ）と（ｇ）は開瞼器の一例を示す平面図である。
【図１４】従来の開瞼器を示す図である。
【図１５】樹脂注入部がアーム最外側に設けられた開瞼器であり、（ａ）は平面図、（ｂ）はＡ−Ａ’の断面図である。
【図１６】樹脂注入部がアーム最外側に設けられる開瞼器の製造工程を説明する概略図であり、（ａ）は金型の平面図、（ｂ）はアームのゲート部付近を拡大した説明平面図、（ｃ）はアームの折れが発生する様子を示す説明平面図である。
【図１７】実施例においてアームに荷重を加えたときの様子を示す説明図である。
【図１８】本実施例および比較例における圧縮荷重と圧縮変位との関係を示す図である。
【図１９】本実施形態に係る開瞼器、ランナーおよびスプールを示す概略説明図である。
【発明を実施するための最良の形態】
【００３８】
（実施の形態１）
以下、本発明に係る一実施形態を、図面を参照して説明する。
図１は実施形態の開瞼器１０の構成を示し、（ａ）は斜視図、（ｂ）は平面図、（ｃ）
は側面図、（ｄ）は正面図、（ｅ）は（ｄ）のＩｅ部の拡大図、（ｆ）はＡ−Ａ’のアーム断面図である。また、図２はその使用状態を示す図である。
【００３９】
図１及び図２に示すように、この開瞼器１０は、バネ性を持つよう射出成形により湾曲形成された熱可塑性樹脂からなる１本のワイヤー状のアーム１４と、そのアーム１４の両端１４ａにそれぞれ結合されて眼１０１の上瞼１０２と下瞼１０３にそれぞれ引っ掛ける２つの瞼押え部１２とを有する。
【００４０】
この開瞼器１０は、少なくともアーム１４は熱可塑性樹脂の成形品として構成されており、アーム１４のバネ反発力によって開瞼状態を保つものである。
【００４１】
ここで、前記開瞼器１０の各部構成について説明する。
まず、前記開瞼器１０に設けられた上下の瞼押え部１２は、樹脂や金属などにより形成されるが、本実施形態では樹脂からなる場合を挙げる。  
【００４２】
前記上下の瞼押え部１２は、瞼の内側に差し込まれる内側挿入片１２ａと、瞼の外側を押える外側押え片１２ｂとを持つ断面Ｕ字状の湾曲プレートにより構成されている。
なお、このとき、内側挿入片１２ａの瞼の縁に沿う方向の長さＬａよりも、外側押え片１２ｂの瞼の縁に沿う方向の長さＬｂの方が大きく設定されていてもよい。
【００４３】
また、図１（ｅ）に示すように、瞼押え部１２を構成する湾曲プレートの厚みが、内側挿入片１２ａと外側押え片１２ｂのつながるＵ字状の湾曲部から両先端部に向けて徐々に薄くなるように変化している。つまり、同図における寸法ｔ１よりも寸法ｔ２、ｔ３の方が小さくなっている（ｔ１＞ｔ２＝ｔ３）。この場合、例えば、ｔ１＝約０．６ｍｍ、ｔ２＝ｔ３＝約０．４ｍｍになっている。ｔ１の寸法の許容幅は、例えば、０．５〜０．７ｍｍの範囲であることが好ましく、ｔ２およびｔ３の寸法の許容幅は、例えば０．３〜０．５ｍｍの範囲であることが好ましい。あまり、最小厚み部分を薄くすると割れやすくなるので、最低でも割れが起きにくい厚みを確保しておく必要がある。
なお、瞼押え部１２を構成する湾曲プレートの厚みの変化は、連続的に設けてあるのが好ましいが、段階的に設けてあってもよい。
【００４４】
また、断面Ｕ字状の上下の瞼押え部１２は、アーム１４のある側と反対側に若干の角度θ（約２０°）だけ開き気味に形成されている。また、断面Ｕ字状の上下の瞼押え部１２の背中部分（Ｕ字の底に相当する部分）は半径Ｒの曲率で凹状に湾曲している。
【００４５】
このように、各瞼押え部１２を、瞼１０２，１０３の内側に差し込まれる内側挿入片１２ａと、瞼１０２，１０３の外側を押える外側押え片１２ｂとを持つ断面Ｕ字状の湾曲プレートで構成し、湾曲プレートの厚みを、内側挿入片１２ａと外側押え片１２ｂのつながるＵ字状の湾曲部よりも、少なくとも内側挿入片１２ａ側の先端部が薄くなるように変化させているので、樹脂でできている瞼押え部１２の強度を保ちながら、瞼の内側に内側挿入片１２ａを差し込む際の患者の負担感を減らすことができる。
【００４６】
例えば、従来の金属製の開瞼器においては、瞼押え部を金属板で形成する場合も線材で形成する場合も、瞼押え部の厚みを変化させることなどは非常に困難であり行われていなかったが、本実施形態のような樹脂製の開瞼器１０の場合は、成形の際に金型に厚み変化に応じた寸法設定を加えておくだけで、簡単に瞼押え部１２を構成する湾曲プレートに、厚みの変化を自由に与えることができる。従って、少なくとも内側挿入片１２ａの先端部の厚みを薄くすることによって、瞼の内側に内側挿入片１２ａを差し込む際の患者の負担感を減らすことができるようになる。また、内側挿入片１２ａの先端部の厚みを薄くするものの、その根元側であるＵ字状の湾曲部の厚みを厚く設定しているので、内側挿入片１
２ａと外側押え片１２ｂのつなぎ部分の強度を十分大きく保つことができ、割れや破損に対する耐久性を持たせることができる。
【００４７】
また、内側挿入片１２ａよりも外側押え片１２ｂの瞼の縁に沿う方向の長さを大きく設定しているので、内側挿入片１２ａを瞼１０２，１０３の裏側にスムーズに差し込むことができると同時に、図２に示すように、サイズの大きい外側押え片１２ｂによって、上下の瞼１０２，１０３の多くの睫毛１０５やその根元を覆い隠すことができる。
【００４８】
例えば、血管新生阻害剤の硝子体注射を行う場合は、滅菌済みの開瞼器を、ドレープを掛けていない眼１０１に直接装着することになるが、この開瞼器１０では、外側押え片１２ｂのサイズを大きめに設定してあることにより、図２に示すように、細菌や汚れで汚染されている可能性のある多くの睫毛１０５やその根元を従来よりも広い範囲で覆い隠すことができ、それにより、睫毛１０５に触れた注射針が眼内に挿入されることで眼内炎を発症する危険性を少なくすることができる。また、外側押え片１２ｂのサイズが大きくなっていることにより、上下瞼１０２，１０３を広い面で押えることができるので、患者が痛みを訴えることが少なくなると共に、硝子体圧上昇などを誘発しにくくなる。
【００４９】
特に、外側押え片１２ｂの長さを１６ｍｍ以上とし、内側挿入片１２ａの長さを１５ｍｍ以下としているので、瞼１０２，１０３の裏側に内側挿入片１２ａを差し込む際の患者への負担感を減らしながら、瞼１０２，１０３の表側での睫毛１０５の押え付けにより安全な処置を行うことが可能となる。
【００５０】
また、図１（ｄ）に示すように、内側押さえ片１２ａの瞼の内側に挿入する方向の寸法Ｗａを、外側押さえ片１２ｂの同方向の寸法Ｗｂよりも小さく設定することにより、患者への負担をさらに軽減することができる共に、着脱時の操作性を向上させることもできる。
【００５１】
次に、前記瞼押え部１２同士を連結するアーム１４について詳述する。
図３に示すように、アーム１４はバネ性を持つようＵ字状に湾曲形成されていることが好ましい（図３（ａ））。さらには、前記アーム１４は、前記２つの瞼押え１２によって上下瞼を均等に押さえられるよう、前記２つの瞼押え部１２の間を通る軸を対称軸とする線対称形状とされていることが好ましい（図３（ｂ））。
【００５２】
なお、アーム１４の形状はバネ性を持つように湾曲形成されていればよく、アーム全体としてはＵ字状でありながらも、Ｕ字の底部を一部変形させることにより略Ｗ字状に湾曲形成されても構わないし（図３（ｃ））、同じくＵ字状でありながらも、Ｕ字の底部を一部変形させることによりアーム１４の少なくとも一方の先端付近を指で摘みやすい形に湾曲させた形状であっても構わない（図３（ｄ））。
【００５３】
なお、本実施形態におけるアーム１４の湾曲形状はバネ反発力を有する湾曲形状であればよく、アーム１４の外側湾曲または内側湾曲が、湾曲形状のかわりに直線形状であってもよい。さらには、アーム１４が開瞼器としてバネ反発力を有していれば、アーム１４の外側湾曲および内側湾曲の少なくとも一部が、湾曲形状のかわりに直線形状であってもよい。
【００５４】
さらに、図１（ｂ）のＡ−Ａ’断面である図１（ｆ）に示すように、アームの長手方向に対して垂直なアーム断面形状は、円形状、楕円形状、またはこれらの一部変形形状のような略円形状であってもよいし、多角形形状や矩形形状であってもよいが、術者にとってのアーム１４の摘みやすさや折れにくさなどから、略円形状であることが好ましい。
【００５５】
また、アーム１４は熱可塑性樹脂からなり、例えばポリメチルメタクリレート（以降、ＰＭＭＡともいう）からなる。他の材料としては、ポリエチレン、ポリプロピレンなどのポリオレフィン、ポリサルホン、ポリフェニルサルホン、ポリエーテルポリエーテルエーテルケトン、ポリカーボネート、ポリフェニルサルホンなどを使用することも可能である。
【００５６】
このとき、前記アーム１４と前記瞼押え部１２とが、樹脂の一体成形品として構成されるのが好ましい。全体を熱可塑性樹脂の一体成形で構成しているので、容易に低コストで大量生産することができる。従って、使い捨ての使用が可能となり、滅菌処理を不要として、大量の使用要求に応えることができるためである。
【００５７】
さらに、アーム１４と前記瞼押え部１２とが、樹脂の一体成形品として構成される場合には、開瞼器１０を使い捨てタイプとして使用することにより、樹脂の繰り返し疲労による破損の可能性を無くすことができるので、安全性を高めることができる。また、瞼１０２，１０３に直接触れる部分（瞼押え部１２）が金属よりも硬度の低い樹脂でできていることにより、患者に対して柔らかな接触感を与えることができ、患者の負担感を減らせる。
【００５８】
なお、開瞼器１０を使い捨てタイプとして使用する場合には、コスト的な面からも、医療用具としての実績からも、射出成形が可能なＰＭＭＡを使用するのが最適である。
【００５９】
次に、本実施形態における開瞼器１０の製造方法について説明する。
なお、この製造方法においてはアーム１４と前記瞼押え部１２とが、樹脂の一体成形品として構成される場合について記載するが、アーム１４と瞼押え部１２とが別体成形品として構成されてもよい。
【００６０】
本実施形態における射出成形では、図４に示すように、射出成形機（図示せず）に取り付けた開瞼器成形用金型１６（以降、金型１６ともいう）内に高温で流動性をもった熱可塑性樹脂を注入する。金型１６には、樹脂を注入する部分すなわち金型樹脂注入部１７が設けられており、金型１６のこの部分から熱可塑性樹脂を注入し、その後冷却する（図４（ａ））。
【００６１】
次に、前記金型１６から、成形品である仕上げ前開瞼器１０ａを取り出す。この際、前記仕上げ前開瞼器１０ａには、金型樹脂注入部１７の型と同じ形状の樹脂注入部１５（以降、ゲート部ともいう）が設けられている（図４（ｂ））。この仕上げ前開瞼器１０ａのゲート部１５を、熱したニッパにより切断除去して、開瞼器１０を作製する（図４（ｃ））。  
【００６２】
このようにして得られる開瞼器１０の作用について説明する。
術者が開瞼器１０を患者の目に装着する際、前記開瞼器１０を指で強くつまんで瞼押え部１２同士を接近させる方向に荷重を加える。それにより瞼押え部１２間の距離を狭めた後、患者の目に開瞼器１０を装着する。装着後に開瞼器１０から指を放すと、アーム１４自身の弾性によるバネ反発力により、患者の目に開瞼器１０が固定される。
【００６３】
図５に示すように、開瞼器１０を指で強くつまんで瞼押え部１２同士を接近させる方向に荷重を加える間、アーム１４においては圧縮応力と引張応力とが発生する。ここで、前記荷重を印加することによって前記アーム１４に曲げモーメントが働いたときに、前記アーム１４の長手方向に垂直な面を切断面とする断面において、前記曲げモーメントによって引張応力が働く領域と圧縮応力が働く領域とが生ずる。この場合、これら引張応力が働く領域と圧縮応力が働く領域との境界面であって引張応力も圧縮応力も働かない面があり
、その面を中立面１８という。そして、この中立面１８を境界としたとき、アーム１４の湾曲形状の湾曲外側であって引張応力が発生する側をアーム外側１４１とし、アーム１４の湾曲形状の湾曲内側であって圧縮応力が発生する側をアーム内側１４２とする（図５（ａ））。すなわち、アーム外側１４１には引張応力が働き、アーム内側１４２には圧縮応力が働く（図５（ｂ））。特に、アーム１４が線対称形状に形成されている場合は、アーム１４の線対称中心部分におけるアーム外側１４１に引張応力が集中する。
【００６４】
上述のように、前記瞼押え部１２同士を接近させる方向に荷重を加える際、アーム外側１４１に引張応力が働く。その引張応力がアーム強度を超えると、引張応力が働く部分の中でも特に引張応力が強く働く部分が折れ起端部１９となり、アーム１４が折れることになる（図５（ｃ））。
【００６５】
この折れ起端部１９となるおそれがある部分は、引張応力が働く部分全般すなわちアーム外側１４１部分であるが、具体的に折れ起端部１９となりやすいのは、アームの長手方向に対して垂直なアーム断面形状のアーム外側１４１において中立面１８から最も離れた部分、すなわちアーム最外側部分である。アーム１４の他の部分に比べて引張応力が強く働くためである。なお、開瞼器１０がＵ字状かつ線対称形状である場合に折れ起端部１９となりやすいのは、図５（ｃ）に示されているように、対称中心部におけるアーム外側１４１である。アーム１４において引張応力が非常に強く働くためである。
【００６６】
また、上述の部分に比べると折れ起端部１９とはなりにくいが、前記アームの長手方向に対して垂直なアーム断面形状が略円形状である場合、前記アーム断面形状を描いた図６に示すように、前記アーム断面において、略円形状中心から前記アーム最外側１４１ａに向かう方向をｘ軸、略円形状中心を通過しｘ軸に対する垂直方向をｙ軸とし、このｘ−ｙ座標系において前記アーム１４に対する接線をｙ＝ａｘ＋ｂ（但し、ａ，ｂは定数）の関数で表したとき、前記アーム外側１４１において前記アーム１４に対する接線の傾きａの絶対値が１を超えている部分も折れ起端部１９（アーム外側における破線矢印で示す領域）となりうる。この部分は他の部分に比べて比較的アーム最外側１４１ａに配置されており、引張応力の影響を受けやすいためである。
【００６７】
なお、以降においてはアーム断面においてｘ軸における距離を「厚さ」、アーム断面の断面積を「太さ」とも言う。
【００６８】
なお、前記中立面１８は前記アーム１４の厚さの中間部に位置する傾向があり、アームの長手方向に対して垂直なアーム断面形状が略円形状である場合はその傾向が強くなり、正円形状または正楕円形状である場合はさらにその傾向が強くなる。
【００６９】
このようなアーム１４の強度についての考慮事項に対して、本発明者は、前記瞼押え部１２同士を接近させる方向に荷重を加える際に発生する引張応力が最大となる部分以外の部分に、前記アーム１４のゲート部１５を設けることにより、開瞼器１０の破損のおそれを低減させることを見出した。
【００７０】
なお、開瞼器１０の破損に係る具体的な機構については、推測ではあるが以下の機構が考えられる。
先にも述べたように、開瞼器１０を製造する際には、射出成形することにより樹脂を金型１６内に注入することになるが、開瞼器１０のゲート部１５においてはその際に樹脂の中の高分子鎖２０が注入方向に配向することになる。
図１６に示すように、開瞼器がＵ字状かつ線対称形状であって対称中心部におけるアーム最外側にゲート部６５が設けられるように、金型６６に金型樹脂注入部６７を設けた場合（図１６（ａ））、高分子鎖２０が引張応力の働く方向に対して垂直に配向しているた
め（図１６（ｂ））、高分子鎖２０の束が引張応力により裂かれる形となり、ゲート部６５が折れ起端部１９となってアーム６４が折れてしまう（図１６（ｃ））。
【００７１】
それに対して本実施形態においては、図４などに示すように、前記瞼押え部１２同士を接近させる方向に荷重を加える際に発生する引張応力が最大となる部分以外の部分に、前記アーム１４のゲート部１５が設けられている。
【００７２】
前記アーム１４に発生する引張応力が最大となる部分としては、例えば図６に示すように、アームの長手方向に対して垂直なアーム断面形状において中立面１８から最も離れた部分であるアーム最外側１４１ａが挙げられる。前記アーム最外側１４１ａは、引張応力が特に働きやすい部分だからである。
【００７３】
なお、前記ゲート部１５は引張応力が最大となる部分以外の部分すなわち折れ起端部１９になるおそれが少ない部分に設ければよく、例えばアーム１４の端部１４ａ付近にゲート部１５を設けてもよい。
具体的には、アーム１４の少なくとも一方の端部断面１４ｃ（図１）から熱可塑性樹脂を注入してもよい。引張応力に対して高分子鎖２０を垂直方向に配向させなくて済むためである。
また、アーム１４の端部１４ａにおいては、アーム内側１４２からはもとよりアーム外側１４１から熱可塑性樹脂を注入してもよい。通常、開瞼器１０を使用する際、アーム１４の端部１４ａ付近には引張応力が比較的働きにくいためである。
さらには、ゲート部１５を複数設けてもよい。例えば、上下瞼押え部１２とアーム１４に各々ゲート部を設けて熱可塑性樹脂を注入してもよいし、アーム１４にゲート部１５を複数設けてもよい。この場合、複数のゲートから注入された樹脂が、引張応力の強くかかる位置で出会わないように設計した方が良い。
【００７４】
また、アーム１４と瞼押え部１２との全体を一体成型する場合、瞼押え部１２にゲート部１５を設けてもよい。具体的には、患者の瞼に触れない部分である断面Ｕ字状湾曲プレートの湾曲外側にゲート部１５を設けてもよい。患者に負担がかからず、しかも引張応力に対して高分子鎖２０を垂直方向に配向させなくてするためである。
【００７５】
図６（ａ）に示すように、本実施形態においてはアーム最外側１４１ａ部分にゲート１５を設けなければよいが、引張応力が働くアーム外側１４１においては、アーム１４が折れる方向すなわちｘ軸方向に対してできる限り平行でない方向、望ましくは垂直に樹脂を注入するのが好ましい。アーム１４が折れる方向に対して高分子鎖２０が平行でない方向、望ましくは垂直に配向することにより、アーム１４の折れを抑制することができるためである。
【００７６】
さらには、折れ起端部１９となるおそれがない部分、すなわち引張応力ではなく圧縮応力が発生する部分であるアーム内側１４２にゲート部１５を設けるのが好ましい。引張応力が発生しなければ、そもそもゲート部１５における高分子鎖２０の束が引き裂かれる可能性が極めて少なくなり、ゲート部１５が折れ起端部１９となるおそれが極めて少なくなるためである。
【００７７】
具体的には、図６に示すように、前記アームの長手方向に対して垂直なアーム断面形状が略円形状である場合、前記アーム垂直断面において、略円形状中心から前記アーム最外側１４１ａに向かう方向をｘ軸、略円形状中心を通過しｘ軸に対する垂直方向をｙ軸とし、このｘ−ｙ座標系において前記アームに対する接線をｙ＝ａｘ＋ｂ（但し、ａ，ｂは定数）の関数で表したとき、前記アーム外側１４１において前記アーム１４に対する接線の傾きａの絶対値が１を超えていない部分、または引張応力の働かないアーム内側１４２に
、前記アームのゲート部１５が設けられるのが好ましい。特に、引張応力の働かないアーム内側１４２に、前記アームのゲート部１５が設けられるのが好ましい。アーム内側１４２ならば引張応力の影響が少なくて済むため、ゲート部１５の高分子鎖２０の配向の影響を少なくすることができるためである。
【００７８】
前記ゲート部１５の位置としては、特に前記アーム内側１４２において前記中立面１８から最も離れた部分であるアーム最内側１４２ａに、前記アーム１４の射出成形の際のゲート部１５が設けられるのが好ましい。引張応力の影響が最も少ない部分であり、ゲート部１５における高分子鎖２０の束が引き裂かれる原因となる引張応力とは逆方向に、圧縮応力が強く働くためである。
【００７９】
また、図７（ａ）〜（ｄ）に示す通り、対称中心部におけるアーム内側１４２に前記アームのゲート部１５が設けられるように金型１６に金型樹脂注入部１７を設けて開瞼器１０を作製するのが好ましい。さらには、高分子鎖２０の束が引き裂かれる影響が少なく、圧縮応力が最も働く部分、すなわち対称中心部のアーム内側１４２において中立面１８から最も離れた部分であるアーム最内側１４２ａに、前記ゲート部１５が設けられるのがより好ましい。
【００８０】
まとめると、本実施形態においては、折れ起端部１９となりやすい部分以外の部分に、アーム１４のゲート部１５が設けられている。折れ起端部１９となりにくい場所にゲート部１５を設けることにより、ゲート部１５を折れ起端部１９としたアーム１４の破損のおそれを低減でき、製品としての強度を向上させることができる。さらには、術者が開瞼器１０を指でつまむ際、アーム１４が破損しないか気にすることを低減させることができ、術者に与えるストレスを軽減することができる。その上で、適度な開瞼力を有して上下瞼を開くという必要な機能を十分に果たすことができる。
【００８１】
なお、本実施形態の開瞼器１０においては、図８Ａに示すように、Ｕ字状かつ線対称形状に湾曲形成され、対称中心部を中心としてアームの長手方向に少なくとも４ｍｍの範囲の部分の湾曲内側が直線形状であり、前記アームの長手方向に対して垂直なアーム断面の断面積において、対称中心部を中心としてアームの長手方向に少なくとも４ｍｍの範囲の部分のアームの断面積が、それ以外の部分の断面積よりも大きいアームを形成するようにし、前記アームの対称中心部におけるアーム最内側１４２ａに、前記ゲート部１５を設けて行うのが好ましい。
【００８２】
アーム１４が上述のようになっていると、開瞼器１０の製造過程において開瞼器成形用金型１６から成形品である仕上げ前開瞼器１０ａを取り出し、熱したニッパ２１により仕上げ前開瞼器１０ａのゲート部１５を切断除去する際、アーム内側１４２に前記ゲート部１５が設けられていたとしても、ニッパ２１による作業空間を単なるＵ字状アームに比べて広く設けることができ、アーム１４による作業の妨げを少なくすることができる（図８Ｂ（ｆ）（ｇ））。しかも、先にも述べたように、アーム内側１４２にゲート部１５を設けることにより、ゲート部１５を折れ起端部１９としたアーム１４の破損のおそれを低減でき、製品としての開瞼器の強度を向上させることができる。
【００８３】
さらには、アーム全体としてはＵ字状でありながらも、Ｕ字状の湾曲部分に２箇所の略直角部分が設けられた略コの字形状にアーム１４を形成し、前記アーム１４の対称中心部におけるアーム最内側１４２ａに前記ゲート部１５を設けるのも好ましい。前記ニッパ２１による作業空間をさらに広く設けることができ、アーム１４による作業の妨げをさらに少なくすることができる。
なお、本実施形態においては、前記略コの字形状は線対称形状である略コの字形状であるのが好ましいが、前記略直角部分が直角からわずかにずれた角度を有するものも含み、
図３（ｄ）のようにアーム１４の一部が指で摘みやすい形に湾曲させた形状であるものも含む。
【００８４】
上述のようにアーム１４の対称中心部におけるアーム最内側１４２ａにゲート部１５を設ける場合、図１９に示すように、Ｕ字湾曲における湾曲内側から湾曲外側へ向かう方向に熱可塑性樹脂がスプール２７及びランナー２８によって注入されるのが好ましい。
具体的には、金型樹脂注入部１７に設置された短い円筒状のランナー２８は樹脂注入方向と略平行にアーム１４のゲート部１５に連結される。そして金型１６に設置された長い円筒状のスプール２７は、ランナー２８に対して所定の角度に傾けて連結され、かつスプール２７の端部付近において連結される。このようにスプール２７およびランナー２８を配置し、スプール２７からランナー２８を介してゲート部１５から熱可塑性樹脂を注入し、アーム１４を作製するのが好ましい。
【００８５】
（実施の形態２）
以下、本発明に係る別の実施形態を、実施の形態１でも用いた図８Ａを参照して説明する。
図８Ａは実施形態の開瞼器の構成を示し、（ａ）は斜視図、（ｂ）は平面図、（ｃ）は側面図、（ｄ）は正面図、（ｅ）は（ｄ）のＩｅ部の拡大図である。また、実施の形態１でも挙げたが、図２はその使用状態を示す図である。
【００８６】
図８Ａ及び図２に示すように、この開瞼器１０は、バネ性を持つよう湾曲形成された樹脂からなる１本のワイヤー状のアーム１４と、そのアーム１４の両端１４ａにそれぞれ結合されて眼１０１の上瞼１０２と下瞼１０３にそれぞれ引っ掛ける２つの瞼押え部１２とを有する。
【００８７】
この開瞼器１０は、少なくともアーム１４が樹脂の成形品として構成されており、アーム１４のバネ反発力によって開瞼状態を保つものである。
【００８８】
ここでは主に、実施の形態１とは異なる部分について説明する。
アーム１４に働く応力を示す図５のように、本実施形態の開瞼器１０においては、前記瞼押え部１２同士を接近させる方向に荷重を加えると、瞼押え部１２を元の位置に戻そうとするバネ反発力（以降、開瞼力ともいう）がアーム１４に働く。この際、患者の閉瞼力に負けない開瞼力を有するためには、アーム１４の太さを太くする必要がある。
【００８９】
このようなアーム１４の開瞼力についての考慮事項に対して、本発明者は、前記瞼押え部１２同士を接近させる方向に荷重を加えた際に発生する前記バネ反発力を調整する開瞼力調整部２３を前記アーム内側１４２に設けることにより、荷重を加えた際のアーム１４の変形しやすい領域を増減させ、アーム１４のバネ反発力を適宜コントロールすることができ、アーム１４を過度に太くすることなく開瞼器１０の開瞼力を確保しつつも、開瞼力の異なる多種類の開瞼器が容易に得られることを見出した。
【００９０】
ここで開瞼力調整部について説明する。この開瞼力調整部は、荷重を加えた際のアーム１４の変形しやすい領域を増減させるために設けられる。
【００９１】
図９に示すように、一般に、前記瞼押え部１２同士を接近させて同じ変位量Ｄだけ変位させようとした場合、このアーム１４の変形しやすい領域２４すなわちアーム１４における変形しやすい領域２４の長さが大きければ大きいほど、瞼押え部１２を変位量Ｄだけ変位させるのに必要な荷重は小さくなる、つまり開瞼器１０の開瞼力は減少することになる。
【００９２】
ここで、アーム１４における変形しやすい領域２４の長さを決定するのは、アーム内側１４２において、荷重に対する支点２５の位置である。本実施形態においては、前記開瞼力調整部により、この支点２５の位置を調節することができる。
【００９３】
この支点調節は、例えば図１０に示すように、アーム内側１４２において、荷重を加えた際に支点２５となる部分をアーム先端部分の方向へとシフトさせるように（図１０（ａ）の破線から実線へシフト）、また、アーム先端部分の方向とは逆の方向へとシフトさせるように（図１０（ｂ）の破線から実線へシフト）前記開瞼力調整部２３を設けることによって行われる。
【００９４】
さらに、上瞼押え部による開瞼力と下瞼押え部による開瞼力との間に差異を持たせてもよい。具体的には、図１０（ｃ）に示すように、患者の上瞼に対する開瞼力を高めたい場合、前記開瞼力調整部２３を、上瞼押え部１２１側においてはアーム先端方向へとシフトさせ、下瞼押え部１２２側においてはアーム先端方向とは逆の方向へとシフトさせる。これにより、上下瞼に対して各々所望の開瞼力を与えることができる。
【００９５】
このように、前記瞼押え部１２同士を接近させる方向に荷重を加えた際に発生する前記バネ反発力を調整する開瞼力調整部２３を前記アーム内側１４２に設けることにより、アーム１４を過度に太くすることなく開瞼器１０の開瞼力を確保できるため、手術器具がぶつかるなど手術の妨げを抑制すると共に、術野への圧迫感を軽減することができる。さらには、前記開瞼力調整部２３を設ける位置を変更するだけで、開瞼力の異なる多種類の開瞼器１０が容易に得られる。
【００９６】
これらの利点に加え、後で詳述するアーム１４の補強という点から見ると、開瞼力調整部２３を設けることにより、荷重に対する支点２５を複数箇所とすることができ、引張応力が１箇所に集中することを防ぐことができる。これにより、実施の形態１と同様に、前記瞼押え部１２同士を接近させた際におけるアーム１４の破損のおそれを低減することができる。
【００９７】
なお、射出成形により成形される熱可塑性樹脂からなり、瞼押え部１２とアーム１４とが一体成型された開瞼器１０ならば、異なる開瞼力を有する開瞼器１０を多種多量に生産することができ、この利点はさらに増大する。
【００９８】
図１１に示すように、開瞼器１０には孔部２６が形成されてもよい。言い換えると、前記開瞼力調整部２３によってアーム１４が架け渡されるように開瞼器１０を構成してもよい（図１１（ａ））。
【００９９】
なお、前記開瞼力調整部２３は、アーム１４と一体成型されても別体に設けられてもよいが、大量生産する上でのコストダウンという点から、一体に設けられているのが好ましい。
【０１００】
この際、例えば平面から見たときにＵ字状アーム１４の底部に向かって凸になるように湾曲形成された開瞼力調整部２３を設けてもよい（図１１（ｂ））。開瞼力調整部２３が直線形状に設けられている場合に比べて、荷重を加えた際の支点をアーム先端方向とは逆の方向へとわずかにシフトさせることができ、開瞼力調整部２３がアームにおける変形しやすい領域２４をわずかに増加させることができる。これにより、開瞼力調整部２３によって強くなった開瞼力を微調整することができる。
【０１０１】
これとは逆に、例えば平面から見たときにアーム先端側に向かって凸になるように湾曲形成された開瞼力調整部２３を設けてもよい（図１１（ｃ））。開瞼力調整部２３が直線
形状に設けられている場合に比べて、荷重を加えた際に開瞼力調整部２３がクッションの代わりとなり、アーム１４の破損のおそれを低減することができると推察される。
【０１０２】
なお、ここでは直線形状に形成または湾曲形成された開瞼力調整部２３について挙げたが、開瞼力調整部２３の湾曲は複数回にわたってもよいし、図１１（ｄ）（ｅ）に示すように少なくとも１回以上屈曲した形状に形成された開瞼力調整部２３が設けられてもよい。
【０１０３】
さらに、図１１（ｆ）に示すように、前記開瞼力調整部２３を複数設けてもよい。開瞼力の微妙なコントロールが可能になるためである。
【０１０４】
また、図１１（ｇ）に示すように、複数の孔部２６が形成されるように開瞼器１０が構成されてもよい。言い換えると開瞼力調整部２３によってアーム１４が３箇所以上で架け渡されるように開瞼器１０を構成してもよい。前記開瞼力調整部２３によってアーム１４が架け渡される箇所を増やすことにより、適度な開瞼力が得られると共に、アーム１４の補強を行うことができるためである。
【０１０５】
また、図１１（ｈ）に示すように、折れ起端部１９となる可能性があるアーム１４の部分を他の部分に比べて厚くすることにより、後述する折れ抑制領域を前記開瞼力調整部２３が兼ねてもよい。
【０１０６】
このように、孔部２６が存在するように前記開瞼力調整部２３が設けられると、上述のように、適度な開瞼力を有することに加え、孔部２６が存在することによりその部分の原材料費をコストダウンすることができる。特に、瞼押え部１２とアーム１４とが一体成型された開瞼器１０ならば、異なる開瞼力を有する開瞼器１０を多種多量に生産することができ、この利点はさらに増大する。
また、孔部２６を保持棒などで貫通させて保管することができ、保管が容易となる。
さらに、孔部２６の存在により術者にとって視認できる領域である術野が広がり、術者への圧迫感を軽減することができる。
その結果、適度な開瞼力を有し、術者に与えるストレスを軽減し、上下瞼を開くという必要な機能を十分に果たす開瞼器を得ることができる。
【０１０７】
なお、アーム１４における湾曲形状は、例えば図１３Ａに示すようにＵ字状アーム１４であって、湾曲外側および／または湾曲内側が一部変形された、略コの字型である場合（図１３Ａ（ａ））、Ｗ字型（図１３Ａ（ｂ））である場合、または数度にわたり湾曲している場合（図１３Ａ（ｃ））においても、先に述べたような開瞼力調整部２３を設けることにより、上述の効果を得ることができる。
【０１０８】
このように適度な開瞼力を有させることに加えてアーム１４の破損のおそれを低減するために、前記開瞼力調整部２３は、図１２に示すように、前記アーム外側１４１に発生する引張応力が最大となる部分から前記アーム内側１４２に向かう方向に設けられる折れ抑制領域２２でもあることが好ましい。
前記開瞼力調整部２３が折れ抑制領域２２を兼ねることにより、アーム１４を過度に太くすることなく開瞼器１０の開瞼力を確保しつつも開瞼器１０の破損のおそれを低減させることができる。
【０１０９】
ここで折れ抑制領域２２について説明する。この折れ抑制領域２２は、開瞼器１０に孔部２６が形成されることなく、アーム外側１４１に発生する引張応力が最大となる部分が折れ起端部１９とならないようにするために設けられるアーム補強箇所である。
【０１１０】
このアーム補強は、例えば、折れが容易に起きないように引張応力が最大となる部分のアーム１４に厚みを持たせたり、アーム１４を太くしたりすることによって行われる。
【０１１１】
なお、このようにアーム１４に厚みを持たせたり、アーム１４を太くしたりする部分は、少なくとも引張応力が最大となる部分であればよく、その他の部分については厚くせずとも、また太くせずともよい。さらには、上述の開瞼力調整部２３を設けた上で、折れ抑制領域２２を別個設けてもよい。折れ抑制領域２２以外の部分を厚く又は太くしないことにより、術野への圧迫感を軽減することができ、アーム１４が術者の作業を妨げることを抑制するためである。
【０１１２】
特に、前記アーム１４がＵ字状に湾曲形成される場合だと、前記アーム外側１４１に発生する引張応力が最大となる部分における前記アーム外側１４１の湾曲形状の曲率半径を、前記アーム内側１４２に発生する圧縮応力が最大となる部分における前記アーム内側１４２の湾曲形状の曲率半径よりも小さくすることによって折れ抑制領域２２を設けることが好ましい。
【０１１３】
言い換えると、前記アーム外側１４１に発生する引張応力が最大となる部分における前記アーム外側１４１の湾曲形状の曲率（曲率半径の逆数）を、前記アーム内側１４２に発生する圧縮応力が最大となる部分における前記アーム内側１４２の湾曲形状の曲率（曲率半径の逆数）よりも大きくすることによって折れ抑制領域２２を設けることが好ましい（図１３Ａ（ｄ））。これにより、アーム１４全体を太くするまでもなく、アーム１４において引張応力が最大となり折れが発生しやすい部分を重点的に厚くすることができる。さらに、アーム外側１４１ではなくアーム内側１４２を厚くすることにより、アーム１４が術者の作業を妨げることを抑制できる。
【０１１４】
また、前記アームの長手方向に対して垂直なアーム断面形状が略円形状である場合、前記アーム断面形状において、前記アーム外側１４１に発生する引張応力が最大となる点を含む前記アーム断面形状のアーム最外側１４１ａからアーム最内側１４２ａまでの距離を、前記アーム１４にかけて最大とすることによって折れ抑制領域２２を設けることが好ましい（図１３Ｂ（ｅ））。実施の形態１にて述べたように、アーム１４が折れにくくなるためである。さらに、アーム１４全体の中でも引張応力が最大となる部分を最も厚くすることにより、アーム１４全体を厚くするまでもなく、アーム１４において引張応力が最大となり折れが発生しやすい部分を重点的に厚くすることができる。
【０１１５】
また、アーム１４の太さについては、アームの長手方向に対して垂直なアーム断面形状において、前記アーム外側１４１に発生する引張応力が最大となる点を含む前記アーム断面形状の断面積を、前記アーム１４にかけて最大とすることによって折れ抑制領域２２を設けることするのも好ましい。これにより、アーム１４の折れが発生しやすい部分を補強でき、アーム１４の折れの発生を抑制することができる。アーム１４の折れの発生を抑制することにより、製品としての開瞼器１０の強度を向上させることができる。また、アーム１４の破損を抑制しつつも閉瞼力に負けない開瞼力を持つような反発弾性を持たせるために、アーム１４の太さを全体にわたって過度に太くする必要がなくなる。
【０１１６】
このように開瞼器を構成することにより、アーム１４の厚さや太さによる術野への圧迫感を軽減させることができ、術者に与えるストレスを軽減することができる。その上で、上下瞼を開くという必要な機能を十分に果たすことができる。
【０１１７】
特に、前記アーム１４がＵ字状かつ線対称形状に湾曲形成され、前記アームの長手方向に対して垂直なアーム断面形状が略円形状である場合には、前記アーム１４における対称中心部におけるアーム最外側１４１ａからアーム最内側１４２ａまでの距離を、前記アー
ム１４にかけて最大とするのが好ましい（図１３Ｂ（ｅ））。また、前記アーム１４における対称中心部の断面積が最大となるように作製するのが好ましい。
アーム１４の折れは対称中心部において発生しやすく、この部分を補強すればアーム１４の折れを抑制することができるためである。さらには、対称中心部におけるアーム内側１４２を特に厚くおよび／または太くすることにより、アーム１４全体を厚くおよび／または太くするまでもなく、アーム１４の強度をコントロールすることができるためである。
【０１１８】
また、この場合、対称中心部を中心としてアームの長手方向に少なくとも４ｍｍの範囲の部分（言い換えるならＵ字の底の部分）の湾曲内側を、湾曲形状の代わりに直線形状とし、対称中心部を中心としてアームの長手方向に少なくとも４ｍｍの範囲の部分のアームの断面積を、それ以外の部分の断面積よりも大きくすることが好ましい。上述の条件にてアーム１４を形成することにより、適度な開瞼力を得ることができるためである。
なお、この際に上記範囲の部分のアーム１４の太さを略均一としてもよい（図１３Ｂ（ｆ））。また、図１３Ａ（ｂ）〜（ｄ）、図１３Ｂ（ｆ）のように、Ｕ字状かつ線対称形状なアーム１４の湾曲形状において、アーム内側１４２に最大曲率部分を複数設けてもよい。アーム１４がこのような形状を取ることにより、アーム内側１４２の複数ある最大曲率部分に引張応力が分散するため、図５に示すように引張応力が対称中心部の１箇所に集中するのを妨げることができる。
【０１１９】
なお、このような補強の手段としては、アーム両端部１４ａ，１４ｂから徐々にアームの断面積が大きくなるようにアーム１４が形成されてもよい（図１３Ｂ（ｇ））。このような形状とすることにより、アーム１４全体を太くする場合よりも術野が広くなり、術者のストレスを軽減することができるためである。
【０１２０】
また、実施の形態１と同様に、前記アーム１４と前記瞼押え部１２とが、射出成形により成形される熱可塑性樹脂からなり、樹脂の一体成形品として構成されていてもよい。全体を熱可塑性樹脂の一体成形で構成しているので、容易に低コストで大量生産することができる。これにより、使い捨ての使用が可能となり、滅菌処理を不要として、大量の使用要求に応えることができる。繰り返しになるが、閉瞼力は患者により異なるので、予め種々の開瞼力を有する開瞼器１０を作製しておき、患者に応じて使い捨ての開瞼器１０を使用することも可能となる。
【０１２１】
なお、本実施形態における開瞼器１０の製造においては、ブロック状の樹脂材から構造物を削り出す方法、樹脂製型中もしくは金型中で重合硬化する方法、または熱可塑性樹脂を用いた射出成形による方法などの樹脂成形方法を用いてもよいが、実施の形態１との組み合わせや大量の製品を製造できるという点で射出成形が好ましい。
【０１２２】
以上の説明のように、この開瞼器１０は、バネ性を持たせたアーム１４の両端１４ａに２つの瞼押え部１２を設けた構成であるので、図２に示すように装着して上下瞼１０２，１０３を開くという必要な機能を、使い勝手よく、十分に果たすことができる。そして、図２に示すように、樹脂製であるにも拘わらず、十分な術野を確保することができる。また、金属よりもしなやかな弾性を発揮する樹脂製のアーム１４のバネ反発力によって開瞼するので、大きく開瞼できない患者の場合にも、痛みを与えることがなく、また、硝子体圧上昇などのトラブルを誘発するおそれもない。
【０１２３】
また、使い捨てタイプとして使用することにより、樹脂の繰り返し疲労による破損の可能性を無くすことができるので、安全性を高めることができる。また、瞼１０２，１０３に直接触れる部分（瞼押え部１２）が金属よりも硬度の低い樹脂でできている場合、患者に対して柔らかな接触感を与えることができ、患者の負担感を減らせる。
【０１２４】
さらに、上述の通り、本発明に係る実施の形態によれば、適度な開瞼力を有しつつ、術者に与えるストレスを軽減し、上下瞼を開くという必要な機能を十分に果たすことができる。
【０１２５】
なお、本発明は前記実施の形態に限られることなく、種々の変形が可能である。特に、図８Ａに示す開瞼器のように、前記実施の形態同士を組み合わせることにより、適度な開瞼力を有しつつ、術者に与えるストレスを軽減し、上下瞼を開くという必要な機能を十分に果たすことに対して、さらなる相乗効果を示すことが期待できる。
【０１２６】
特に、アーム全体としてはＵ字状でありながらも、Ｕ字の底部を一部変形させることにより略コの字形状に形成されかつゲート部１５がアーム内側１４２に設けられたアーム１４（実施の形態１）を実施の形態２に適用すると、前記アーム１４に開瞼力調整部２３が設けられた形状となり、ゲート部１５を切断除去する際にニッパ２１による作業空間を広く設けることができるだけでなく、アーム１４の強度を向上させ、かつ開瞼力を適宜調節することができ、術者に与えるストレスを軽減するという相乗効果を有する。
【０１２７】
この相乗効果に加え、さらに、前記アーム１４と前記瞼押え部１２とが、全体を熱可塑性樹脂の一体成形品として構成される場合、上述のようなアーム強度の保持、開瞼力に対する微妙なコントロール性などのような優れた効果を有しながらも、容易に低コストで様々なバネ反発力を有する開瞼器を多種多量に生産することができ、使い捨ての使用が可能となり、滅菌処理を不要として、大量の使用要求に応えることができる。
【実施例】
【０１２８】
（実施例１）
以下、本実施例について説明する。
図７に示すように、高温で流動性をもった熱可塑性樹脂であるＰＭＭＡを金型樹脂注入部１７から金型１６内に注入し、冷却した。
次に、前記金型１６から仕上げ前開瞼器１０ａを取り出し、ゲート部１５を熱したニッパ２１により切断除去して、図７に示される本実施例に係る開瞼器１０を作製した。
この際、図７（ｃ）や図１７に示すように、アーム１４の湾曲形状をＵ字状かつ線対称形状とし、アーム１４の対称中心部におけるアーム最内側１４２ａにゲート部１５を設け、Ｕ字の幅を約３２ｍｍとし、アーム１４の太さを直径２．２ｍｍとした。
【０１２９】
（実施例２）
また、本実施例の開瞼器１０は、実施例１と同様の手法で作製した。ただし本実施例では実施例１とは異なり、図８Ａに示すように、対称中心部が中心に位置する、アームの長手方向に６ｍｍの範囲の部分の湾曲内側を直線形状とし、対称中心部を中心としてアームの長手方向に６ｍｍの範囲の部分のアームにおける、前記アームの長手方向に対して垂直なアーム断面の断面積が、それ以外の部分の断面積よりも大きくした。
【０１３０】
（比較例）
比較例の開瞼器６０も、実施例１と同様の手法で作製した。ただし、比較例では実施例１〜２とは異なり、図１５に示すようにアーム６４の対称中心部におけるアーム最外側６４１ａにゲート部６５を設けた。
【０１３１】
本実施例および比較例に係る開瞼器に対して、万能試験機（インストロン社製万能試験機  ＭＩＮＩ４４型）を用い、図１７に示すように、アームの湾曲部分と直線部分との境界部分に対して瞼押え部同士を接近させる方向に荷重を加え、１００ｍｍ／分の速度で圧縮した。その結果を図１８に示す。
【０１３２】
実施例１および実施例２における開瞼器１０では、アームの圧縮変位を１５ｍｍ以上とし、圧縮荷重を２５Ｎ（約２．５ｋｇ重）以上の荷重としたときでも、アームが折れることはなかった。
その一方、比較例における開瞼器６０では、アームの圧縮変位を８．５ｍｍとし、圧縮荷重を６．４Ｎ（約０．６ｋｇ重）の荷重としたとき、ゲート部６５を折れ起端部としてアームが折れた。
【０１３３】
（実施例３）
さらに、開瞼器を使って上下瞼を開く際、その開瞼幅は処置内容・患者個人差により異なるが、通常１５ｍｍ以上開瞼することを鑑み、瞼押え部における湾曲プレートの中央部の間の距離を１５ｍｍまで押し込んだ際の反発力を、実施例１〜２に加えて、アームの長手方向に１０ｍｍの範囲の部分のアームの断面積を、それ以外の部分の断面積よりも大きくした実施例３の開瞼器に対して同じく万能試験機（インストロン社製万能試験機  ＭＩＮＩ４４型）を用いて測定した。
【０１３４】
その結果、実施例１の開瞼器の反発力は６６ｇｆであったのに対し、実施例２の開瞼器の反発力は７０ｇｆであり、約６％上昇した。また、実施例３の開瞼器の反発力は８０ｇｆであり、約２０％上昇した。
【０１３５】
このことにより、アーム１４における対称中心部付近を太くすることにより、開瞼器１０の反発力をコントロールできることが判明した。
【符号の説明】
【０１３６】
１０      開瞼器
１０ａ    仕上げ前開瞼器
１０２    上瞼
１０３    下瞼
１２      瞼押え部
１２１    上瞼押え部
１２２    下瞼押え部
１２ａ    内側挿入片
１２ｂ    外側押え片
１４      アーム
１４１    アーム外側
１４１ａ  アーム最外側
１４２    アーム内側
１４２ａ  アーム最内側
１４ａ    アーム両端
１４ｃ    アーム両端における断面部
１５      ゲート部
１６      開瞼器成形用金型
１７      金型樹脂注入部
１８      中立面
１９      折れ起端部
２０      高分子鎖
２１      ニッパ
２２      折れ抑制領域
２３      開瞼力調整部
２４      変形しやすい領域
２５      支点
２６      孔部
２７      スプール
２８      ランナー
６０      開瞼器
６２      瞼押え部
６２ａ    内側挿入片
６２ｂ    外側押え片
６４      アーム
６４ａ    アーム両端
６５      ゲート部
６６      開瞼器成形用金型
６７      金型樹脂注入部  
【図１】
2010227457.tif 000003
【図２】
2010227457.tif 000004
【図３】
2010227457.tif 000005
【図４】
2010227457.tif 000006
【図５】
2010227457.tif 000007
【図６】
2010227457.tif 000008
【図７】
2010227457.tif 000009
【図８Ａ】
2010227457.tif 000010
【図８Ｂ】
2010227457.tif 000011
【図９】
2010227457.tif 000012
【図１０】
2010227457.tif 000013
【図１１】
2010227457.tif 000014
【図１２】
2010227457.tif 000015
【図１３Ａ】
2010227457.tif 000016
【図１３Ｂ】
2010227457.tif 000017
【図１４】
2010227457.tif 000018
【図１５】
2010227457.tif 000019
【図１６】
2010227457.tif 000020
【図１８】
2010227457.tif 000021
【図１９】
2010227457.tif 000022
【図１７】
2010227457.tif 000023